(57)【特許請求の範囲】
【請求項１】
ソーラーセルと、このソーラーセルの上に配置される文字板を有するソーラーセル付き電子時計であって、
前記ソーラーセルは、複数の領域に分割して形成した複数の分割セルから形成されており、
前記文字板は、第１の文字板と、光を透過する第２の文字板とを有し、
前記分割セルは、直列に接続される第１分割セルと第２分割セルとを有し、
前記第１の文字板には、前記第１分割セル上に配置された第１の窓と、前記第２分割セル上に配置され、前記第１の窓よりも大きな面積の第２の窓とを設け、
前記第２の文字板は、前記第１の窓の中と前記第２の窓の中に位置するように配置され、
前記第２の文字板は、前記第１の窓の中に位置する部分よりも第２の窓の中に位置する部分の方が光透過率が小さく、かつ、前記第１の窓と前記第２の窓に同じ照度の光が照射されたときに、前記第２分割セルの電流供給能力が、前記第１分割セルの電流供給能力以上となるように、光透過率が設定されていることを特徴とするソーラーセル付き電子時計。
【請求項２】
前記複数の分割セルは、前記ソーラーセルを分割する分割線を跨いで隣り合う２つの前記第２分割セルを有し、
前記第２の窓は、前記分割線を跨いで２つの前記第２分割セル上に配置され、
２つの前記第２分割セルの両方の電流供給能力が、前記第１分割セルの電流供給能力以上となるように、前記第２の文字板の光透過率が設定されていることを特徴とする請求項１に記載のソーラーセル付き電子時計。
【請求項３】
前記第１の窓の中に位置する前記第２の文字板に遮光部を形成することによって、前記第２の文字板の光透過率を減じたことを特徴とする請求項１又は２に記載のソーラーセル付き電子時計。
【発明の詳細な説明】
【技術分野】
【０００１】
本発明は、光エネルギーを電気エネルギーに変換して電子機器を駆動するソーラーセル付き電子機器に関する。
【背景技術】
【０００２】
従来、アナログ式電子時計を初めとしてあらゆる電子機器にソーラーセル（太陽電池）が採用されるようになってきている。アナログ式電子時計においては、透光性の文字板を採用し、この文字板の下にソーラーセルを配設している。従って、文字板の材質には一般的に光透過性のよいプラスチック製のものや薄板状のセラミックが選択されていた。しかし、光透過性のよい文字板を採用した場合にはソーラーセル本来の色調である濃紫色が透けて見えるため、外観品質を落としてしまうという欠点があった。
【０００３】
最近のソーラーセルの中には、低い光透過率の文字板を採用しても時計の駆動に必要な起電力が得られるものが出現してきた。これに合わせて、時計の駆動に必要な起電力を得られる光透過率を得るために採光孔を形成した金属製の文字板を採用するものが現れている（例えば、特許文献１参照。）。特許文献１に開示され文字板をソーラー付き電子時計に用いれば、前記採光孔が文字板面の一部に限定されているために、あるいは、文字板裏面に有色の透明プラスチックフィルムを貼り付けることができるために、ソーラーセルの濃紫色が目立たないという効果を奏するものである。すなわち、バラエティに富んだ高級感ある文字板に仕上げることができるものである。
【０００４】
本出願人は、ｎ個に分割されたソーラーセルの上に、異なる面積の複数の窓を有する窓部材を配置して、前記窓によって各分割セル上に形成される照射領域の面積が等しくなるようにしたソーラーセル付き電子機器を出願している（特許文献２参照。）。これによって、ソーラーセルの濃紫色が目立たなくなると同時に、各分割セルによる供給可能な電流値を揃えて発電効率を向上させることができるというものである。
【特許文献１】特開平１０−１２３２６５号公報（段落００１１及び図２、３）
【特許文献２】ＰＣＴ／ＪＰ２００５／００７１６５号（未公開）
【発明の開示】
【発明が解決しようとする課題】
【０００５】
文献１よりも、さらにバラエティに富んだ文字板にするためには、文字板の各窓部の大きさを異ならせたりその配置を工夫する等により、各分割セルの照射面積を等しくすることに縛られずにデザインをすることも必要になってくる。このように、デザイン性を優先した結果、各分割セルの照射面積が異なってしまうと、照射面積の大きな部分、すなわち、ソーラーセルの露出面積の大きな部分は、ソーラーセルの露出面積の小さい部分に比べて、ソーラーセルの地色や分割線等が目立ちやすくなってくる。これは、文献１に記載されているように、文字板全体に有色の透明プラスチックフィルムを貼り付けることで解消することができる。しかし、分割セルの照射面積の小さな部分が、有色の透明プラスチックフィルムで覆われると、透過率が小さくなり、その分割セルの電流供給能力が小さくなってしまう。すなわち、各分割セルを直列接続した回路の電流供給能力が小さくなり、結果として電子時計を十分に駆動できる電力を確保できない場合がある。
【０００６】
本発明は、このような従来の問題を解決するためになされたものであり、その目的は、複数の面積の異なる窓を有する窓部材を採用できて、文字板のデザインに自由度が増すとともに、前記窓によってソーラーセルの各分割セル上に形成される照射領域の面積が異なる場合であっても、十分な電流供給能力を確保できるソーラーセル付き電子機器を提供す
ることである。
【課題を解決するための手段】
【０００７】
前述した目的を達成するための本発明の手段は、ソーラーセルと、このソーラーセルの上に配置される文字板を有するソーラーセル付き電子時計であって、前記ソーラーセルは、複数の領域に分割して形成した複数の分割セルから形成されており、前記文字板は、第１の文字板と、光を透過する第２の文字板とを有し、前記分割セルは、直列に接続される第１分割セルと第２分割セルとを有し、前記第１の文字板には、前記第１分割セル上に配置された第１の窓と、前記第２分割セル上に配置され、前記第１の窓よりも大きな面積の第２の窓とを設け、前記第２の文字板は、前記第１の窓の中と前記第２の窓の中に位置するように配置され、前記第２の文字板は、前記第１の窓の中に位置する部分よりも第２の窓の中に位置する部分の方が光透過率が小さく、かつ、前記第１の窓と前記第２の窓に同じ照度の光が照射されたときに、前記第２分割セルの電流供給能力が、前記第１分割セルの電流供給能力以上となるように、光透過率が設定されていることを特徴とする。
【０００８】
また、前記複数の分割セルは、前記ソーラーセルを分割する分割線を跨いで隣り合う２つの前記第２分割セルを有し、前記第２の窓は、前記分割線を跨いで２つの前記第２分割セル上に配置され、２つの前記第２分割セルの両方の電流供給能力が、前記第１分割セルの電流供給能力以上となるように、前記第２の文字板の光透過率が設定されていることを特徴とする。
【０００９】
また、前記第１の窓の中に位置する前記第２の文字板に遮光部を形成することによって、前記第２の文字板の光透過率を減じたことを特徴とする。
【発明の効果】
【００１５】
以上説明したように、本発明によれば、ソーラーセルと、このソーラーセルの上に配置される窓部材と、前記ソーラーセルから供給される電力により駆動される負荷とを有するソーラーセル付き電子機器であって、前記ソーラーセルには、このソーラーセルを複数の領域に分割して形成した複数の分割セルが形成されており、前記窓部材には、前記各分割セルに光を照射するための所定の光透過率を有する窓が設けられており、前記分割セルは、少なくとも１つの前記窓によって比較的小さな面積の照射領域が形成される分割セルである第１分割セルと、少なくとも１つの前記窓によってこの第１分割セルの照射領域より大きな面積の照射領域が形成される分割セルである第２分割セルとを有しており、かつ、前記第２分割セルに光を照射するための前記窓の少なくとも一部分である窓部としての第
２窓部の光透過率が、前記第１分割セルに光を照射するための前記窓の少なくとも一部分である窓部としての第１窓部の光透過率よりも小さく設定されているようにしたので、窓部材の窓の大きさを設定する場合に従来よりも文字板のデザインの自由度が増した。また、各窓におけるソーラーセルの濃紫色を目立たなくすることができた。また、十分に電流供給能力を確保できるソーラーセル付き電子機器を提供することができた。
【発明を実施するための最良の形態】
【００１６】
以下、本発明の実施の形態を図面に基づいて詳細に説明する。図１は本発明の第１の実施の形態であるソーラーセル付き腕時計の平面図、図２は図１のＡ−Ａ断面を示す要部拡大断面図、図３はこの腕時計の完成文字板の平面図、図４はこの腕時計から外装部品を取り除いたムーブメントの平面図である。
【００１７】
まず、第１の実施の形態の構成について図１〜図４を参照して説明する。図１において、１はソーラーセル付き電子機器としてのクロノグラフ機能付腕時計を示している。２はこの腕時計１の外装部品であるケースを示している。６は時刻表示部を構成する外装部品である窓部材としての文字板を示している。文字板６周縁部には時目盛を有する見返しリングが配設されている。文字板６は、図２に詳細を示すとおり、金属板から成る第１の文字板７の裏面全面に、所定の光透過率α（１＞α＞０）の透明プラスチック板から成る第２の文字板８が貼付されて形成されている。
【００１８】
また、図３において、第１の文字板７の１２時方向には所定の開口面積を有するクロノグラフの分表示部である円形窓７ａが形成されており、円形窓７ａの周りを囲んで分目盛が配設されている。また、３時方向には日付表示部としての角窓７ｂが形成されており、６時方向には円形窓７ａに対して比較的大きな開口面積を有するクロノグラフの時表示部である扇形窓７ｃが形成されており、扇形窓７ｃ内の第２の文字板８の上には文字、記号又は図形などが印刷されている。印刷されたこの部分は遮光部８ａとなっている。
【００１９】
図１に戻って、９は時刻表示部を構成する外装部品である時を表示する時針を、１０は同じく分を表示する分針を、そして１１は同じく秒を表示する秒針を示している。１２は外装部品であるクロノグラフの分を表示する分針を、１３はクロノグラフの時を表示する時針を示しており、図２には時針１３の周辺の断面を示している。
【００２０】
図４において、１４は時計駆動部であるムーブメントを示している。１５は文字板６の下面側に配設されている光起電力を発生するソーラーセルを示している。ソーラーセル１５は、フィルムやガラスやステンレス等から成る１枚の基板上に形成された発電面の領域を、１２時−６時方向の分割線である１５ＤＡ及び１５ＢＣ、９時−３時方向の分割線である１５ＡＢ及び１５ＣＤにより４等分して形成された分割セルＡ、Ｂ、Ｃ、Ｄを有しており、これらの分割セルを図示しない二次電池に直列に接続して負荷に必要な起電力を得るようになっている。ソーラーセル１５には第１の文字板７の中央の貫通穴７ｄに対応する位置に貫通穴１５ｄが形成されている。そして第２の文字板７の貫通穴８ｅに対応する位置に貫通穴１５ｅが形成されている。
【００２１】
ムーブメント１４の指針軸１４ｄがソーラーセルの貫通穴１５ｄ、文字板６の貫通穴７ｄを貫通して第１の文字板６の上に突出しており、これに時針９、分針１０及び秒針１１が固定されている。また、他の指針軸１４ｅ及び１４ｆが第２の文字板８の貫通穴８ｅ及び８ｆにそれぞれ対応する位置にあるソーラーセル１５の貫通穴１５ｅ及び１５ｆを貫通して第２の文字板８の上に突出した指針軸１４ｅ及び１４ｆにそれぞれクロノグラフの分針１２及び時針１３が取り付けられている。
【００２２】
１６は円形窓７ａを通してソーラーセル１５の分割セルＡの発電面上に光が照射されて形成された照射領域Ａ（円形窓７ａの外形線の一部である２点鎖線によって囲まれたハッチング部）を示しており、１７は扇形窓７ｃを通してソーラーセル１５の分割セルＢの発電面上に形成された照射領域Ｂ（扇形窓７ｃの外形線の一部である２点鎖線によって囲まれたハッチング部）を示しており、１８及び１９はそれぞれ１２時−６時方向の分割線１５ＢＣ及び１５ＤＡを跨いで対称に分割セルＣ及びＤの発電面上に形成された照射領域Ｃ及びＤを示している。照射領域Ａ１６及び照射領域Ｄ１９の面積は互いに等しい面積Ｗ１であり、照射領域Ｂ１７及び照射領域Ｃ１８の面積は互いに等しい面積Ｗ２（Ｗ１＜Ｗ２）である。
【００２３】
なお、ここで扇形窓７ｃ内の遮光部８ａによる照射領域１７内に形成される合計遮光面積を２×ｗとすると、ｗは、ｗ＝Ｗ２−Ｗ１の関係が成り立つように設定されている。遮光面積の設定に当たっては、時針１３の存在による遮光効果を無視できない場合にはそれを考慮に入れることとする。遮光部８ａの存在によって、扇形窓７ｃの開口面積は実質的には狭くなっており、その開口面積に対する光透過率はαより小さくなっていると見なされる。
【００２４】
この腕時計１はソーラーセル１５から供給される電力によって負荷を駆動するようになっており、そのような負荷には、例えば、水晶振動子を用いて高周波信号を出力する発振回路、その発振回路から出力される高周波信号を１秒周期の信号に分周する分周回路、その分周回路から出力される信号を、ステップモーターを駆動する駆動信号に変換する駆動回路、操作ボタンの操作に応じて駆動回路の動作を制御する駆動制御回路、二次電池の過充電防止や充電警告などの制御を行う充電制御回路等が含まれる。
【００２５】
次に、本発明の第１の実施の形態である腕時計１の効果について説明する。比較的小さな面積の円形窓７ａには光透過率αの第２の文字板８を用いているのでソーラーセル１５の濃紫色を目立たなくさせることができる。また、比較的大きな面積の扇形窓７ｃの内部に遮光部８ａを形成したので、ソーラーセル１５の地色や分割線を目立たなくさせることができる。したがって、文字板６の窓の大きさをある程度自由に、それも大きめに設定できるので、デザイン性のよい腕時計１の提供が可能となった。
【００２６】
次に、本発明の第２の実施の形態を図面に基づいて詳細に説明する。図５は本発明の第２の実施の形態であるソーラーセル付き腕時計の平面図、図６はこの時計の文字板の平面図、図７はこの腕時計から外装部品を取り除いたムーブメントの平面図である。まず、本発明の第２の実施の形態の構成を図５〜図７を参照して説明する。図５において、２１はソーラーセル付き電子機器としてのデュアル時刻表示機能付き腕時計を示している。２６は文字板を示している。３０は外装部品である充電残量表示針を示しており、３１、３２はそれぞれデュアル時刻表示の時針、分針を示している。
【００２７】
文字板２６は、図６に詳細を示すとおり、第１の文字板２７の裏面に部分的に異なる光透過率を有するプラスチック材で形成された第２の文字板２８が貼付されて成り立っている。また、１２時方向には充電残量表示部である扇形窓２７ａが形成されており、扇形窓２７ａの周縁部を含む部分の第２の文字板２８の光透過率はα１（１＞α１＞０）に設定されており、この第２の文字板２８の上には充電残量表示目盛が印刷されている。そして、６時方向にはデュアル時刻表示部である円形窓２７ｃが形成されており、円形窓２７ｃの外周縁部を含む部分の第２の文字板２８の光透過率はα２（α１＞α２）と設定されており、この部分の第２の文字板２８の周縁部上には時目盛が印刷されている。
【００２８】
図７において、３３は時計駆動部であるムーブメントを示している。３４は文字板２６の下面側に配設されているソーラーセルを示している。ソーラーセル３４の発電面は図４で示したものと同様に分割線３４ＡＢ、３４ＢＣ、３４ＣＤ、３４ＤＡにより４等分され
て分割セルＡ、Ｂ、Ｃ、Ｄが形成されている。ソーラーセル３４には角穴３４ｂ並びにムーブメント３３の各指針軸３３ｄ、３３ｅ、３３ｆが貫通する貫通穴３４ｄ、３４ｅ及び３４ｆが形成されている。文字板２６の上に突出した指針軸３３ｄには、時針９、分針１０及び秒針１１が固定されている。また、第２の文字板２８の上に突出した指針軸３３ｅには充電残量表示針３０が固定されており、同じく指針軸３３ｆにはデュアル時刻表示の時針３１及び分針３２が固定されている。
【００２９】
３６は扇形窓２７ａを通してソーラーセル３４の発電面上に光が照射されて形成された照射領域Ａ（扇形窓２７ａの外形線である２点鎖線及び分割線３４ＤＡに囲まれたハッチング部、面積Ｗ３）を示しており、３７は円形窓２７ｃを通してソーラーセル３４の分割セルＢの発電面上に形成された照射領域Ｂ（円形窓２７ｃの外形線である２点鎖線及び分割線３４ＢＣに囲まれたハッチング部、面積Ｗ４）を示しており、３８及び３９はそれぞれ分割線３４ＢＣ及び３４ＤＡを跨いで照射領域Ａ及び照射領域Ｂと対称に分割セルＣ及びＤの発電面上に形成された照射領域Ｃ及びＤを示している。なお、面積Ｗ３＜Ｗ４である。扇形窓２７ａ、円形窓２７ｃには各指針や印刷目盛などによる遮光部を有しているが、説明の便宜上、Ｗ３、Ｗ４にはこの遮光部の面積を含んでいないものとする。
【００３０】
ここで、分割セルＡ、Ｂ、Ｃ、Ｄは直列に接続されており、扇形窓２７ａ、円形窓２７ｃに同じ照度の光が照射されたときに、円形窓２７ｃの光透過率α２に基づく分割セルＢ（分割セルＣ）の電流供給能力が、扇形窓２７ａの光透過率α１に基づく分割セルＡ（分割セルＤ）の電流供給能力以上となるように、円形窓２７ｃの光透過率α２の値を設定してある。その他の構成は第１の実施の形態と同じであるから、同じ構成要素には同じ名称と符号とを付与して詳細な説明を省略する。
【００３１】
ここで、第２の文字板２８の光透過率を部分的により小さなものに変更する方法について説明する。全体が光透過率α１の第２の文字板２８の一部に、特開２００２−１６２４８０号に記載のように、透過性の塗料を印刷することにより複数層の塗膜を設けることによってその部分の光透過率α２をα１より小さくすることができる。光透過率α１の文字板２８の一部も電流供給能力に余裕があれば、同様な方法で部分的に光透過率を下げることができる。また、特開２００５−１０６６４１号に記載のように、印刷濃度にグラデーションをつけることもできる。このグラデーションによって、印刷濃度の濃い部分の光透過率が小さく、印刷濃度の薄い部分の光透過率が大きくなり、グラデーションに応じて光透過率も段階的に変化する。なお、印刷手段としては、例えば、スクリーン印刷やオフセット印刷等によって塗料を印刷することができるが、透過性の塗料を印刷できるものであれば、その印刷手段は何でも良い。なお、１枚の第２の文字板２８の下半分を透過性の塗料で印刷してもよく、各々の窓部に光透過率の異なる別々の透明板を用いてもよい。
【００３２】
次に、本発明の第２の実施の形態であるデュアル時刻表示付き腕時計の効果について説明する。円形窓２７ｃの光透過率α２を扇形窓２７ａの光透過率α１より小さく設定したので、円形窓２７ｃのように比較的大きな窓部であってもソーラーセルの濃紫色が一層目立たなくなった。また、円形窓２７ｃが分割線を跨いでいても、その分割線が目立ちにくい。さらに、円形窓２７ｃの光透過率α２に基づく分割セルＢ（分割セルＣ）の電流供給能力が、扇形窓２７ａの光透過率α１に基づく分割セルＡ（分割セルＤ）の電流供給能力以上となるように、円形窓２７ｃの光透過率α２の値を設定したので、電流供給能力を十分確保した腕時計２１が得られた。
【００３３】
以下に、本発明の実施の形態を模式図を参照して説明する。図８は、以上説明した本発明の第１及び第２の実施の形態を模式的に表した図である。いずれも２つの窓Ｐ、Ｑがあり、それぞれが分割セルＡとＤ、分割セルＢとＣとに分割線ＤＡによって対称に２等分された照射領域ＡとＤ、ＢとＣを形成している例（１）である。ここで、分割セルＡは比較
的小さな面積の照射領域Ａが形成された分割セルであり、このような分割セルのことを第１分割セルと呼ぶ。これに対して分割セルＢは比較的大きな面積の照射領域Ｂが形成された分割セルであり、このような分割セルを第２分割セルと呼ぶことにする。従って、照射領域Ａと同じ面積の照射領域Ｄを持つ分割セルＤも第１分割セルであり、照射領域Ｂと同じ面積の照射領域Ｃを持つ分割セルＣも第２分割セルと呼ぶことになる。また、照射領域Ａに対応する窓部はその外周を２点鎖線で表すように窓Ｐの一部となっている。このように、第１分割セルに照射領域を形成している窓部（窓Ｐの一部）のことを第１窓部と呼び、同様に第２分割セルに照射領域を形成している窓部（窓Ｑの一部）のことを第２窓部と呼ぶことにする。
【００３４】
図９は本発明の第３の実施の形態を示す模式図である。これは、４つの窓Ｐ、Ｑ、Ｒ、Ｓがあり、それぞれが分割セルＡ、Ｂ、Ｃ、Ｄに１個ずつの照射領域Ａ、Ｂ、Ｃ、Ｄを形成している例（２）である。この場合、いずれの窓内にもソーラーセルの分割線が存在しない。ここで、面積を比較すると照射領域Ａ＜照射領域Ｂ＜照射領域Ｃ＜照射領域Ｄであるとする。この場合には、少なくとも、分割セルＡは他のどの分割セルと比較しても照射領域が小さいから第１分割セルである。また、分割セルＢ、Ｃ、Ｄは分割セルＡよりも照射領域が大きいから第２分割セルである。また、窓Ｐは、他の分割セルに跨らずに、第１分割セルにしか照射領域を形成しないから、この場合は、窓Ｐの全部が第１窓部である。同様に、窓Ｑの全部、窓Ｒの全部、窓Ｓの全部が、いずれも第２窓部である。さらに、面積が照射領域Ｂ＜照射領域Ｃの関係にあるから、分割セルＢとＣとの間にも第１分割セルと第２分割セルの関係が成立する。同様に、分割セルＣと分割セルＤ、分割セルＢと分割セルＤとの間にも第１分割セルと第２分割セルの関係が成立する。このように、この実施例においては、第１窓部も第２窓部も複数存在する。
【００３５】
図１０は本発明の第４の実施の形態を示す模式図である。これは、１つの窓Ｐが分割線を跨いで全ての分割セルに照射領域を形成する例（３）である。ここで、面積を比較すると照射領域Ａ＜照射領域Ｂ＜照射領域Ｃ＜照射領域Ｄであるとする。この場合には、第１、第２分割セルの呼称については、例（２）と同様である。また、各々の照射領域に対応する窓部は全て同じ窓Ｐの一部分となっている。従って、第１又は第２窓部の呼称については、それぞれ窓Ｐの一部分を呼ぶことになる。
【００３６】
図１１は本発明の第５の実施の形態を示す模式図である。これは、複数の窓が１つの分割セルに照射領域を形成する例（４）である。この場合、照射領域Ａは窓Ｐによって形成されたものと、窓Ｑによるものとの２つがある。したがって、照射領域Ａの面積はこの２つを合計したものとなる。ここで、面積の比較は照射領域Ａ＜照射領域Ｂ＝照射領域Ｃ＝照射領域Ｄであるとする。分割セルＡは第１分割セルになるので、照射領域Ａを形成している窓ＰとＱとを共に第１窓部と呼ぶことになる。そして、分割セルＢ、Ｃ、Ｄはいずれも第２分割セルであり、窓Ｒ、Ｓ、Ｔはいずれも第２窓部である。つまり、これは複数の第１窓部及び第２窓部が存在している例でもある。
【００３７】
以上説明したように、本発明は、少なくとも１つの窓によって分割セルに形成される照射領域の合計面積が、少なくとも１つの窓によってその他の少なくとも１つの分割セルに形成される照射領域の合計面積と異なっているものを対象とする。即ち、少なくとも１つの第１分割セル、又は第２分割セルが存在するものと言える。このような場合において、第２分割セルに光を照射するための窓の少なくとも一部分である窓部としての第２窓部の光透過率を第１分割セルに光を照射するための窓の少なくとも一部分である窓部としての第１窓部の光透過率より小さくしたことを特徴としている。また、１つの窓が複数の分割セルに跨って光を照射して、各々の分割セルに互いに異なる面積の照射領域を形成する場合には、各々の分割セルに対応する窓部の部分ごとに１つの窓部内の光透過率を互いに異ならせてもよい。なお、本発明の第２の実施の形態で、第２の文字板２８の透過率に段階
的に変化を付けることを述べたが、このように、第１窓部や第２窓部内の光透過率が、一様でない場合、窓部内の透過率の平均値をその窓の透過率とする。
【００３８】
また、本発明では、異なる照射領域を持った分割セル同士であっても、第１分割セルと、第２分割セルとが直列に接続されており、第１、第２窓部に同じ照度の光が照射されたときに、第２窓部の光透過率に基づく第２分割セルの電流供給能力が、第１窓部の光透過率に基づく第１分割セルの電流供給能力以上となるように、第２窓部の光透過率を設定したことを特徴としている。この場合に、最小の照射領域を持った分割セルであっても供給電流量が電子機器の負荷を駆動するのに十分なものであることを前提としている。
【００３９】
第１分割セルと第２分割セルとの直列回路に流れる電流は、電流供給能力の小さな分割セルの電流供給能力によって制限されるため、仮に、第１窓部と第２窓部との光透過率が等しければ、照射領域の面積の小さな第１分割セルの電流供給能力と等しくなる。第２窓部の光透過率に基づく第２分割セルの電流供給能力を、第１窓部の光透過率に基づく第１分割セルの電流供給能力以上となる範囲で、第２窓部の光透過率を第１窓部の透過率よりも小さく設定することにより、もともと第１分割セルと第２分割セルとの直列回路が有している電流供給能力を確保した上で、第２窓部のソーラーセルの地色を目立たなくすることができる。
【産業上の利用可能性】
【００４０】
以上の実施例ではもっぱら腕時計について説明してきたが、本発明は腕時計に限らず、ソーラーセルで駆動される他の種々の電子機器に広く適用できるものである。
【図面の簡単な説明】
【００４１】
【図１】本発明の第１の実施の形態であるクロノグラフ機能付腕時計の平面図である。
【図２】図１のＡ−Ａ断面を示す断面図である。
【図３】図１の時計の文字板の平面図である。
【図４】図１の時計のムーブメントの平面図である。
【図５】本発明の第２の実施の形態であるクロノグラフ機能付腕時計の平面図である。
【図６】図５の時計の文字板の平面図である。
【図７】図５の時計のムーブメントの平面図である。
【図８】本発明の第１及び第２の実施の形態を表した模式図である。
【図９】本発明の第３の実施の形態を示す模式図である。
【図１０】本発明の第４の実施の形態を示す模式図である。
【図１１】本発明の第５の実施の形態を示す模式図である。
【符号の説明】
【００４２】
１、２１  腕時計
６、２６  文字板
７ａ、２７ｃ  円形窓
７ｃ、２７ａ  扇形窓
７、２７  第１の文字板
８、２８  第２の文字板
８ａ  遮光部
１５、３４  ソーラーセル
１５ＤＡ、１５ＡＢ、１５ＢＣ、１５ＣＤ、３４ＤＡ、３４ＡＢ、３４ＢＣ、３４ＣＤ
分割線
α、α１、α２  光透過率
Ａ、Ｂ、Ｃ、Ｄ  分割セル
【図１】
0004638794.tif 000002
【図２】
0004638794.tif 000003
【図３】
0004638794.tif 000004
【図４】
0004638794.tif 000005
【図５】
0004638794.tif 000006
【図６】
0004638794.tif 000007
【図７】
0004638794.tif 000008
【図８】
0004638794.tif 000009
【図９】
0004638794.tif 000010
【図１０】
0004638794.tif 000011
【図１１】
0004638794.tif 000012